(57)【要約】【課題】  映像表示に利用されないオフ光を利用して各々の光源の光出力を補正することによって、各光源の效率が一定でない場合に発生し得る映像の歪曲を防止することができる映像再生装置及びその制御方法を提供する。【解決手段】  本発明は、映像再生装置及びその制御方法に関する。本発明の映像再生装置は、相異なる色の光を出力する複数の光源と；前記複数の光源から出力された光を映像表示に利用するための第１方向と、前記第１方向と異なる第２方向のうちのいずれか一方向に反射させる複数のミラーエレメントを備えたデジタルミラーパネルと；前記デジタルミラーパネルの少なくとも一つのミラーエレメントによって前記第２方向に反射された光が入射する位置に備えられ、入射する前記光の光量を感知する感知部と；前記感知部の感知結果に基づいて前記各光源の光量を判断し、前記判断結果に基づいて前記各光源の光出力を制御する補正制御部とを含む。【選択図】      図１
2007193337.tif 000002
【特許請求の範囲】
【請求項１】
映像再生装置において、
相異なる色の光を出力する複数の光源と；
前記複数の光源から出力された光を映像表示に利用するための第１方向と、前記第１方向と異なる第２方向のうちのいずれか一方向に反射させる複数のミラーエレメントを備えたデジタルミラーパネルと；
前記デジタルミラーパネルの少なくとも一つのミラーエレメントによって前記第２方向に反射された光が入射する位置に備えられ、入射する前記光の光量を感知する感知部と；
前記感知部の感知結果に基づいて前記各光源の光量を判断し、前記判断結果に基づいて前記各光源の光出力を制御する補正制御部とを含むことを特徴とする映像再生装置。
【請求項２】
前記感知部は、
入射する前記光を感知し、前記感知された光の光量に対応する電圧レベルを前記補正制御部に出力する光センサを含むことを特徴とする請求項１に記載の映像再生装置。
【請求項３】
前記補正制御部は、
前記感知部によって感知される電圧レベルに基づいて前記各光源から出力される光の強さを判断し、前記各光源に対応して判断された光の強さが各光源に該当する所定の基準強さと一致するように前記各光源に対応する加重値を決定し、前記加重値によって前記各光源の光出力を制御することを特徴とする請求項２に記載の映像再生装置。
【請求項４】
前記補正制御部は、
前記感知部の感知結果に基づいて前記各光源から出力される光の強さを判断し、前記各光源に対応して判断された光の強さが各光源に該当する所定の基準強さと一致するように前記各光源に対応する加重値を決定し、前記加重値によって前記各光源の光出力を制御することを特徴とする請求項１に記載の映像再生装置。
【請求項５】
前記補正制御部は、
前記感知部の感知結果に基づいて前記各光源から出力される光の相対的な強さを判断し、前記各光源に対応する光の相対的な強さが所定の相対的な基準強さと一致するように前記各光源に対応する加重値を決定し、前記加重値によって前記各光源の光出力を制御することを特徴とする請求項１に記載の映像再生装置。
【請求項６】
前記補正制御部は、
前記加重値によって前記各光源の光出力を制御するために、前記加重値によって前記各光源に提供する駆動電源の電流の大きさと前記各光源の駆動デューティ比のうちのいずれか一つを調整することを特徴とする請求項４に記載の映像再生装置。
【請求項７】
前記補正制御部は、
前記感知部の感知結果に基づいて前記各光源の光量を判断し、前記判断結果に基づいて前記各光源の光出力を制御する動作を所定の時間間隔によって周期的に遂行することを特徴とする請求項６に記載の映像再生装置。
【請求項８】
前記複数の光源は、赤色光を出力する赤色光源と、緑色光を出力する緑色光源と、青色光を出力する青色光源とを含み、
前記光源は、ＬＥＤとレーザのうちのいずれか一つであることを特徴とする請求項７に記載の映像再生装置。
【請求項９】
映像が表示されるディスプレイ部と；
入力される映像信号による映像を前記ディスプレイ部に表示するために、前記映像信号に基づいて前記各々のミラーエレメントの反射方向が前記第１方向と前記第２方向のうちのいずれか一方向に向かうように前記デジタルミラーパネルを制御するパネル駆動部とをさらに含むことを特徴とする請求項８に記載の映像再生装置。
【請求項１０】
前記補正制御部は、
前記加重値によって前記各光源の光出力を制御するために、前記加重値によって前記各光源に提供する駆動電源の電流の大きさと前記各光源の駆動デューティ比のうちのいずれか一つを調整することを特徴とする請求項５に記載の映像再生装置。
【請求項１１】
前記補正制御部は、
前記感知部の感知結果に基づいて前記各光源の光量を判断し、前記判断結果に基づいて前記各光源の光出力を制御する動作を所定の時間間隔によって周期的に遂行することを特徴とする請求項１０に記載の映像再生装置。
【請求項１２】
前記複数の光源は、赤色光を出力する赤色光源と、緑色光を出力する緑色光源と、青色光を出力する青色光源とを含み、
前記光源は、ＬＥＤとレーザのうちのいずれか一つであることを特徴とする請求項１１に記載の映像再生装置。
【請求項１３】
映像が表示されるディスプレイ部と；
入力される映像信号による映像を前記ディスプレイ部に表示するために、前記映像信号に基づいて前記各々のミラーエレメントの反射方向が前記第１方向と前記第２方向のうちのいずれか一方向に向かうように前記デジタルミラーパネルを制御するパネル駆動部とをさらに含むことを特徴とする請求項１２に記載の映像再生装置。
【請求項１４】
光源から出力される光を映像表示に利用するための第１方向と、前記第１方向と異なる第２方向のうちのいずれか一方向に反射させる複数のミラーエレメントを備えたデジタルミラーパネルを含む映像再生装置の制御方法において、
相異なる色の光を前記デジタルミラーパネルに出力する複数の光源を備える段階と；
光の光量を感知する感知部を、前記デジタルミラーパネルの少なくとも一つのミラーエレメントによって前記第２方向に反射された光が入射する位置に備える段階と；
前記感知部の感知結果に基づいて前記各光源の光量を判断する段階と；
前記判断結果に基づいて前記各光源の光出力を制御する段階とを含むことを特徴とする映像再生装置の制御方法。
【請求項１５】
前記感知部は、
入射する前記光を感知し、前記感知された光の光量に対応する電圧レベルを出力する光センサを含むことを特徴とする請求項１４に記載の映像再生装置の制御方法。
【請求項１６】
前記各光源の光量を判断する段階は、
前記感知部により感知される電圧レベルに基づいて前記各光源から出力される光の強さを判断する段階と、
前記各光源に対応して判断された光の強さが各光源に該当する所定の基準強さと一致するように、前記各光源に対応する加重値を決定する段階とを含むことを特徴とする請求項１５に記載の映像再生装置の制御方法。
【請求項１７】
前記各光源の光量を判断する段階は、
前記感知部の感知結果に基づいて前記各光源から出力される光の相対的な強さを判断する段階と、
前記各光源に対応する光の相対的な強さが所定の相対的な基準強さと一致するように、前記各光源に対応する加重値を決定する段階とを含むことを特徴とする請求項１６に記載の映像再生装置の制御方法。
【請求項１８】
前記各光源の光出力を制御する段階は、
前記決定された加重値によって前記各光源の光出力を制御することを特徴とする請求項１６に記載の映像再生装置の制御方法。
【請求項１９】
前記各光源の光出力を制御する段階は、
前記加重値によって前記各光源に提供する駆動電源の電流の大きさと前記各光源の駆動デューティ比のうちのいずれか一つを調整する段階を含むことを特徴とする請求項１８に記載の映像再生装置の制御方法。
【請求項２０】
前記複数の光源は、赤色光を出力する赤色光源と、緑色光を出力する緑色光源と、青色光を出力する青色光源とを含み、
前記光源は、ＬＥＤとレーザのうちのいずれか一つであることを特徴とする請求項１９に記載の映像再生装置の制御方法。
【請求項２１】
前記各光源の光出力を制御する段階は、
前記決定された加重値によって前記各光源の光出力を制御することを特徴とする請求項１７に記載の映像再生装置の制御方法。
【請求項２２】
前記各光源の光出力を制御する段階は、
前記加重値によって前記各光源に提供する駆動電源の電流の大きさと前記各光源の駆動デューティ比のうちのいずれか一つを調整する段階を含むことを特徴とする請求項２１に記載の映像再生装置の制御方法。
【請求項２３】
前記複数の光源は、赤色光を出力する赤色光源と、緑色光を出力する緑色光源と、青色光を出力する青色光源とを含み、
前記光源は、ＬＥＤとレーザのうちのいずれか一つであることを特徴とする請求項２２に記載の映像再生装置の制御方法。
【発明の詳細な説明】
【技術分野】
【０００１】
本発明は、映像再生装置及びその制御方法に関し、より詳しくは各々の光源の光出力を補正することによって、映像の歪曲を防止することができる映像再生装置及びその制御方法に関する。
【背景技術】
【０００２】
最近、一般的にプレゼンテーションを主目的とするビジネスの用途として広く用いられるプロジェクタの普及が急速に増加することに伴って、種々のプロジェクタ製品が開発されている。このようなプロジェクタは、移動性（ｐｏｒｔａｂｌｅ）が良いように小型、軽量及び軽薄化の傾向にある。
【０００３】
現在、このようなプロジェクタに利用されているディスプレイ素子のうちの一つとしては、デジタルミラーパネル（Ｄｉｇｉｔａｌ  Ｍｉｃｒｏｍｉｒｒｏｒ  Ｄｅｖｉｃｅ  Ｐａｎｅｌ：以下“ＤＭＤパネル”と言う）が広く用いられる。ＤＭＤパネルは、複数個の微細ミラーエレメントの傾斜角を変化させることによって、光の反射角を色々なモードに変換させる光スイッチディスプレイ素子である。
【０００４】
上記のＤＭＤパネルを利用した映像再生装置について説明すれば、光源から出力される光（白色光）を赤色、緑色、青色のうちのいずれか一つの色光で通過させるように構成されたカラーホイールのスパットに集光させ、カラーホイールを通過した光は平行光束の形態でＤＭＤパネルに照射される。そのため、ＤＭＤパネルから反射された光がズーム投射レンズを通じてディスプレイスクリーンに投影されることによって、映像が表示される。この時、ＤＭＤパネルの複数個の微細ミラーエレメントは、傾斜角が第１傾斜角と第２傾斜角に制御され、微細ミラーエレメントが第１傾斜角の状態で第１方向に反射させた光はズーム投射レンズを通じて映像表示に利用され、微細ミラーエレメントが第２傾斜角の状態で第２方向に反射させた光は映像表示に利用されずに捨てられるようになる。
【０００５】
一方、前述したように白色光を出力する単一の光源とカラーホイールを備える代りに、最近には互いに相異なる色の光（赤色、緑色、青色）を出力する複数の光源を採用する映像再生装置が予想されている。しかし、このように複数の光源を採用した映像再生装置は、各々の色光を出力する複数の光源の效率が一定でない場合に発生し得る映像の歪曲を防止することが困難である。
【発明の開示】
【発明が解決しようとする課題】
【０００６】
そこで、本発明の目的は、映像表示に利用されないオフ光を利用して各々の光源の光出力を補正することによって、各光源の效率が一定でない場合に発生し得る映像の歪曲を防止することができる映像再生装置及びその制御方法を提供することにある。
【課題を解決するための手段】
【０００７】
上記目的は、映像再生装置において、相異なる色の光を出力する複数の光源と；前記複数の光源から出力された光を映像表示に利用するための第１方向と、前記第１方向と異なる第２方向のうちのいずれか一方向に反射させる複数のミラーエレメントを備えたデジタルミラーパネルと；前記デジタルミラーパネルの少なくとも一つのミラーエレメントによって前記第２方向に反射された光が入射する位置に備えられ、入射する前記光の光量を感知する感知部と；前記感知部の感知結果に基づいて前記各光源の光量を判断し、前記判断結果に基づいて前記各光源の光出力を制御する補正制御部とを含むことを特徴とする映像再生装置よって達成される。
【０００８】
そして、前記感知部は、入射する前記光を感知し、前記感知された光の光量に対応する電圧レベルを前記補正制御部に出力する光センサを含むことが好ましい。
【０００９】
ここで、前記補正制御部は、前記感知部によって感知される電圧レベルに基づいて前記各光源から出力される光の強さを判断し、前記各光源に対応して判断された光の強さが各光源に該当する所定の基準強さと一致するように前記各光源に対応する加重値を決定し、前記加重値によって前記各光源の光出力を制御することができる。
【００１０】
また、前記補正制御部は、前記感知部の感知結果に基づいて前記各光源から出力される光の強さを判断し、前記各光源に対応して判断された光の強さが各光源に該当する所定の基準強さと一致するように前記各光源に対応する加重値を決定し、前記加重値によって前記各光源の光出力を制御することができる。
【００１１】
また、前記補正制御部は、前記感知部の感知結果に基づいて前記各光源から出力される光の相対的な強さを判断し、前記各光源に対応する光の相対的な強さが所定の相対的な基準強さと一致するように前記各光源に対応する加重値を決定し、前記加重値によって前記各光源の光出力を制御することができる。
【００１２】
ここで、前記補正制御部は、前記加重値によって前記各光源の光出力を制御するために、前記加重値によって前記各光源に提供する駆動電源の電流の大きさと前記各光源の駆動デューティ比のうちのいずれか一つを調整することが可能である。
【００１３】
そして、前記補正制御部は、前記感知部の感知結果に基づいて前記各光源の光量を判断し、前記判断結果に基づいて前記各光源の光出力を制御する動作を所定の時間間隔によって周期的に遂行することが好ましい。
【００１４】
ここで、前記複数の光源は、赤色光を出力する赤色光源と、緑色光を出力する緑色光源と、青色光を出力する青色光源とを含み、前記光源はＬＥＤ（発光ダイオード）とレーザのうちのいずれか一つであることが好ましい。
【００１５】
そして、映像が表示されるディスプレイ部と；入力される映像信号による映像を前記ディスプレイ部に表示するために、前記映像信号に基づいて前記それぞれのミラーエレメントの反射方向が前記第１方向と前記第２方向のうちのいずれか一方向に向かうように前記デジタルミラーパネルを制御するパネル駆動部とをさらに含むことができる。
【００１６】
一方、上記目的は、本発明の他の分野によれば、光源から出力される光を映像表示に利用するための第１方向と、前記第１方向と異なる第２方向のうちのいずれか一方向に反射させる複数のミラーエレメントを備えたデジタルミラーパネルを含む映像再生装置の制御方法において、相異なる色の光を前記デジタルミラーパネルに出力する複数の光源を備える段階と；光の光量を感知する感知部を、前記デジタルミラーパネルの少なくとも一つのミラーエレメントによって前記第２方向に反射された光が入射する位置に備える段階と；前記感知部の感知結果に基づいて前記各光源の光量を判断する段階と；前記判断結果に基づいて前記各光源の光出力を制御する段階とを含むことを特徴とする映像再生装置の制御方法によって達成される。
【００１７】
そして、前記感知部は、入射する前記光を感知し、前記感知された光の光量に対応する電圧レベルを出力する光センサを含むことが好ましい。
【００１８】
ここで、前記各光源の光量を判断する段階は、前記感知部によって感知される電圧レベルに基づいて前記各光源から出力される光の強さを判断する段階と、前記各光源に対応して判断された光の強さが各光源に該当する所定の基準強さと一致するように前記各光源に対応する加重値を決定する段階とを含むことができる。
【００１９】
また、前記各光源の光量を判断する段階は、前記感知部の感知結果に基づいて前記各光源から出力される光の相対的な強さを判断する段階と、前記各光源に対応する光の相対的な強さが所定の相対的な基準強さと一致するように前記各光源に対応する加重値を決定する段階とを含むことができる。
【００２０】
ここで、前記各光源の光出力を制御する段階は、前記決定された加重値によって前記各光源の光出力を制御することが好ましい。
【００２１】
また、前記各光源の光出力を制御する段階は、前記加重値によって前記各光源に提供する駆動電源の電流の大きさと前記各光源の駆動デューティ比のうちのいずれか一つを調整する段階を含むことができる。
【００２２】
ここで、前記複数の光源は、赤色光を出力する赤色光源と、緑色光を出力する緑色光源と、青色光を出力する青色光源とを含み、前記光源はＬＥＤとレーザのうちのいずれか一つであることが好ましい。
【発明の効果】
【００２３】
本発明によれば、映像表示に利用されないオフ光を利用して各々の光源の光出力を補正することによって、各光源の效率が一定でない場合に発生し得る映像の歪曲を防止することができる映像再生装置及びその制御方法を提供する。
【発明を実施するための最良の形態】
【００２４】
以下、添付図面を参照しながら本発明について詳細に説明する。
【００２５】
図１は本発明による映像再生装置の制御ブロック図である。本図面に示すように、ディスプレイ部５、複数の光源１０、照明系２０、投射系２５、デジタルミラーパネル（ＤＭＤパネル）３０、パネル駆動部３５、光センサ４０、及び補正制御部５０を含む。
【００２６】
複数の光源１０は、互いに相異なる色の光をそれぞれ出力する。つまり、複数の光源１０は、赤色光を出力する赤色光源と、緑色光を出力する緑色光源と、青色光を出力する青色光源など各々の色光を出力することができる光源を含む。ここで、光源はＬＥＤとレーザのうちのいずれか一つで備えられることができ、図１の実施形態における複数の光源１０は、赤色光を出力する赤色ＬＥＤ１１と、緑色光を出力する緑色ＬＥＤ１２と、青色光を出力する青色ＬＥＤ１３で備えられることを例として説明する。
【００２７】
各々のＬＥＤ光源１１、１２、１３は、あらかじめ決定された駆動デューティ比によって順次に自分の色光を出力するようになる。例えば、各々のＬＥＤ光源１１、１２、１３の駆動デューティ比が３：３：４であれば、一つの映像フレームを表示するために、各々のＬＥＤ光源１１、１２、１３は駆動デューティ比３：３：４による時間の間に順次に自分の色光を出力するようになる。
【００２８】
照明系２０は、複数の光源１０から順次に照射される色光がＤＭＤパネル３０の各ミラーエレメント３１に效率的に入射するように、光束を調整する。このような照明系２０はリレーレンズを含むことができる。
【００２９】
ＤＭＤパネル３０は、複数の光源１０から出力された光を映像表示に利用するための第１方向と、前記第１方向と異なる第２方向のうちのいずれか一方向に反射させる複数のミラーエレメント３１を有する。ここで、第１方向と第２方向は、ミラーエレメント３１の傾斜角によって決定される反射角による反射方向である。つまり、ＤＭＤパネル３０のミラーエレメント３１によって第１方向に反射された光は、投射系２５を通じてディスプレイ部５に投影され、映像表示に利用される映像光として用いられる。そして、ＤＭＤパネル３０のミラーエレメント３１によって第２方向に反射された光は映像表示に利用されない。以下の説明においては、第１方向に反射された光はオン光といい、第２方向に反射された光はオフ光という。
【００３０】
パネル駆動部３５は、入力される映像信号による映像をディスプレイ部５に表示するようにＤＭＤパネル３０を制御する。つまり、パネル駆動部３５は、複数の光源１０の駆動デューティ比と入力される前記映像信号の赤色／緑色／青色の階調に基づいて、各々のミラーエレメント３１の反射方向が第１方向と前記第２方向のうちのいずれか一方向に向かうように各ミラーエレメント３１の傾斜角を制御する。このように、パネル駆動部３５がＤＭＤパネル３０を制御することは一般的な従来の制御動作に相当するため、その詳細な説明は省略する。
【００３１】
投射系２５は、ＤＭＤパネル３０から入射するオン光をディスプレイ部５に映像として表示するための映像光で投映させる役割を果たす。このような投射系２５は投射レンズを含むことができる。
【００３２】
ディスプレイ部５は、投射系２５から入射する映像光による映像を表示する。つまり、ディスプレイ部５は映像の表示されるディスプレイパネルを含むことができる。ここで、図１に示す実施形態においては、本発明の映像再生装置がディスプレイ部５を含む構成であるが、これは一つの実施形態に過ぎない。つまり、ディスプレイ部５は本発明の映像再生装置の外部に備えられ、本発明の映像再生装置は投射系２５を通じて出力される映像光を装置の外部に出力して、外部に備えられたディスプレイ部５に映像が表示されるようにすることも可能である。
【００３３】
光センサ４０は、入射する光の光量を感知するための感知部として備えられる。このような光センサ４０は、ＤＭＤパネル３０の少なくとも一つのミラーエレメント３１によって第２方向に反射されたオフ光が入射する位置に備えられる。光センサ４０は、入射するオフ光を感知し、前記感知されたオフ光の光量に対応する電圧レベルを補正制御部５０に出力する。この時、前述したように、各ＬＥＤ光源１１、１２、１３は順次に色光を出力するため、光センサ４０に入射するオフ光も各ＬＥＤ光源１１、１２、１３によって出力される色光に対応して順次に入射するようになる。
【００３４】
図１に示す実施形態においては、感知部として光センサ４０が備えられるが、これは一つの実施形態に過ぎない。つまり、入射するオフ光の光量を感知することができる構成であれば、感知部は光センサ４０以外の他の構成で備えられることも可能である。
【００３５】
補正制御部５０は、感知部として備えられた光センサ４０の感知結果に基づいて複数の光源１０が各ＬＥＤ光源１１、１２、１３の光量を判断し、前記判断結果に基づいて各ＬＥＤ光源１１、１２、１３の光出力を制御する。
【００３６】
つまり、補正制御部５０は、光センサ４０によって感知される電圧レベルに基づいて各ＬＥＤ光源１１、１２、１３から出力される光の強さを判断する。補正制御部５０は、各ＬＥＤ光源１１、１２、１３に対応して判断された光の強さが各ＬＥＤ光源１１、１２、１３に該当する所定の基準強さと一致するか否かを判断し、光センサ４０によって感知される電圧レベルに基づいて判断された各ＬＥＤ光源１１、１２、１３の光の強さが基準強さと一致するように、各ＬＥＤ光源１１、１２、１３に対応する加重値を決定する。そして、補正制御部５０は決定された加重値によって各ＬＥＤ光源１１、１２、１３の光出力を制御する。ここで、基準強さとは、映像をディスプレイ部５に正常に表示するために、ＬＥＤ光源１１、１２、１３各々が正常に出力しなければならない光出力の強さを意味する。
【００３７】
つまり、補正制御部５０は、各々のＬＥＤ光源１１、１２、１３から出力される色光が、ＤＭＤパネル３０によって第２方向に反射されたオフ光の光量を感知した光センサ４０の感知結果によって、各ＬＥＤ光源１１、１２、１３の光出力效率を判断し、判断の結果ＤＭＤパネル３０から反射された光の強さが該当光源の基準強さより低いと判断される光源の光出力を高めて、ＤＭＤパネル３０から反射された光の強さが基準強さと一致するようにする加重値を決定し、決定した加重値によって該当光源の光出力を高める。また、補正制御部５０は、各々のＬＥＤ光源１１、１２、１３から出力される色光が、ＤＭＤパネル３０によって第２方向に反射されたオフ光の光量を感知した光センサ４０の感知結果によって、各ＬＥＤ光源１１、１２、１３の光出力效率を判断し、ＤＭＤパネル３０から反射された光の強さが該当光源の基準強さより高いと判断される光源の光出力を低めて、ＤＭＤパネル３０から反射された光の強さが基準強さと一致するようにする加重値を決定し、決定した加重値によって該当光源の光出力を低める。
【００３８】
ここで、補正制御部５０が各ＬＥＤ光源１１、１２、１３の光出力を制御する方法としては、補正制御部５０が決定した加重値によって各ＬＥＤ光源１１、１２、１３に提供する駆動電源の電流の大きさを調整することができる。
【００３９】
例えば、補正制御部５０は、ＤＭＤパネル３０から反射された赤色ＬＥＤ光源１１の光の強さ（例：８０％）が、赤色ＬＥＤ光源１１の基準強さ（例：１００％）より低いと判断されれば、赤色ＬＥＤ光源１１の光出力を高めて、ＤＭＤパネル３０から反射された光の強さが基準強さと一致するようにする加重値（例：＋２０％）を決定し、決定した加重値によって赤色ＬＥＤ光源１１の光出力を高めるために、赤色ＬＥＤ光源１１に提供する駆動電源の電流の大きさを高めることができる。
【００４０】
ここで、補正制御部５０は、光センサ４０によって感知される電圧レベルに基づいて各ＬＥＤ光源１１、１２、１３から出力される光の相対的な強さを判断し、各ＬＥＤ光源１１、１２、１３に対応する光の相対的な強さが所定の相対的な基準強さと一致するように各ＬＥＤ光源１１、１２、１３に対応する加重値を決定し、前記加重値によって前記各光源の光出力を制御することができる。ここで、相対的な基準強さとは、映像をディスプレイ部５に正常に表示するために、ＬＥＤ光源１１、１２、１３各々が正常に出力しなければならない相対的な光出力の強さを意味する。
【００４１】
補正制御部５０が各ＬＥＤ光源１１、１２、１３の光出力を制御する方法としては、補正制御部５０が、各ＬＥＤ光源１１、１２、１３に対応する光の相対的な強さが所定の相対的な基準強さと一致するように決定した加重値によって、各ＬＥＤ光源１１、１２、１３の駆動デューティ比を調整することができる。
【００４２】
例えば、補正制御部５０は、ＤＭＤパネル３０から反射された赤色ＬＥＤ光源１１の光の強さ（例：８０％）が、該当赤色ＬＥＤ光源１１の相対的な基準強さ（例：１００％）より低いと判断され、ＤＭＤパネル３０から反射された緑色及び青色ＬＥＤ光源（１２、１３）の光の強さ（例：１１０％）が該当緑色及び青色ＬＥＤ光源１２、１３の相対的な基準強さ（例：１００％）より高いと判断されれば、赤色ＬＥＤ光源１１の光出力を高め、緑色及び青色ＬＥＤ光源１２、１３の光出力を低めるための各々の加重値を決定し、決定した加重値によって元のＬＥＤ光源１１、１２、１３の駆動デューティ比（例：３：３：４）をデューティ比４：２．５：３．５に調整することができる。
【００４３】
ここで、補正制御部５０は、光センサ４０の感知結果に基づいて各光源１１、１２、１３の光量を判断し、前記判断結果に基づいて各光源１１、１２、１３の光出力を制御する動作を、所定の時間間隔によって周期的に遂行することができる。つまり、補正制御部５０は、光センサ４０から感知結果が入力されるたびに、本発明による制御動作（加重値の決定／各光源１１、１２、１３の光出力制御）を遂行せず、周期時間ごとに周期的に遂行することもできる。
【００４４】
これによって、本発明による映像再生装置は、ディスプレイ部５に映像を表示するために傾斜角が制御されるＤＭＤパネル３０から、映像光として利用されずに出力されるオフ光を利用して、各ＬＥＤ光源１１、１２、１３の光量を判断して各ＬＥＤ光源１１、１２、１３の光出力效率を判断することができる。そして、本発明の映像再生装置は、判断された各ＬＥＤ光源１１、１２、１３の光出力效率によって各ＬＥＤ光源１１、１２、１３の加重値を決定し、これによって各ＬＥＤ光源１１、１２、１３の光出力を制御する。
【００４５】
したがって、本発明の映像再生装置は、オフ光を利用して各ＬＥＤ光源１１、１２、１３の光出力を補正することによって、映像をディスプレイ部５に正常に表示するためにＬＥＤ光源１１、１２、１３各々が正常に出力しなければならない光出力の強さを維持するようにする。これにより、本発明による映像再生装置は、各々の色光を出力する各光源の效率が一定でない場合にも加重値を与えて各光源の光出力を制御することによって、映像の歪曲を防止することができる。
【００４６】
以下、図１のような構成を有する本発明の好ましい実施形態による映像再生装置の制御流れについて、図２を参照して説明する。
【００４７】
先に、本発明による映像再生装置は、ＤＭＤパネル３０のミラーエレメント３１によって第２方向に反射されたオフ光が入射する位置に光センサ４０を備える（Ｓ１０）。光センサ４０は、入射する光の光量を感知するための感知部として備えられる構成である。そして、映像再生装置に映像信号が入力されて一般的な映像表示動作が遂行されれば（Ｓ２０）、パネル駆動部３５は、入力される映像信号による映像をディスプレイ部５に表示するために、ＤＭＤパネル３０のミラーエレメント３１それぞれの傾斜角を制御（オン／オフ）する一般的な動作を遂行する（Ｓ３０）。この時、光センサ４０は、入射するオフ光を感知し、前記感知されたオフ光の光量に対応する電圧レベルを補正制御部５０に出力する（Ｓ４０）。
【００４８】
補正制御部５０は、光センサ４０によって感知される電圧レベルに基づいて各ＬＥＤ光源１１、１２、１３から出力される光の強さを判断し、各ＬＥＤ光源１１、１２、１３に対応して判断された光の強さが各ＬＥＤ光源１１、１２、１３に該当する所定の基準強さと一致するか否かを判断して、各ＬＥＤ光源１１、１２、１３の光の強さが基準強さと一致するように各ＬＥＤ光源１１、１２、１３に対応する加重値を決定する（Ｓ５０）。補正制御部５０は、決定した加重値によって各ＬＥＤ光源１１、１２、１３の光出力を制御する。つまり、補正制御部５０は、決定した加重値によって各ＬＥＤ光源１１、１２、１３に提供する駆動電源の電流の大きさを高めるかまたは低めるように調整する（Ｓ６０）。
【００４９】
そして、補正制御部５０は、前記Ｓ５０、Ｓ６０段階を遂行した後、所定の周期時間が経過したか否か判断する（Ｓ７０）。所定の周期時間が経過した場合、補正制御部５０は前述したＳ５０とＳ６０段階を再び遂行する。ここで、Ｓ７０段階の判断結果、所定の周期時間が経過していない場合、補正制御部５０は光センサ４０から入力される感知結果を無視し、映像表示動作の遂行がオフされたか否かを判断する（Ｓ８０）。ここで、映像表示動作の遂行がオフされる場合とは、ディスプレイ部５に映像を表示するためのパネル駆動部３５の動作がオフされる場合を意味する。補正制御部５０は、映像表示動作の遂行がオフされたと判断される場合、本発明による制御動作（周期的に加重値決定／各光源１１、１２、１３の光出力制御）を終了する。
【００５０】
一方、図１に示したような構成を有する本発明の他の実施形態による映像再生装置の制御流れについて、図３を参照して簡単に説明する。ここで、図２と同一の制御段階に対する説明は同一の制御段階の識別番号を付け、その詳細な説明は省略する。
【００５１】
本発明の他の実施形態による映像再生装置は、図２のＳ１０〜Ｓ４０段階を同一に遂行する。
【００５２】
補正制御部５０は、光センサ４０によって感知される電圧レベルに基づいて各ＬＥＤ光源１１、１２、１３から出力される光の相対的な強さを判断し、各ＬＥＤ光源１１、１２、１３に対応して判断された相対的な光強さが各ＬＥＤ光源１１、１２、１３に該当する所定の相対的な基準強さと一致するか否かを判断して、各ＬＥＤ光源１１、１２、１３の光の強さが相対的な基準強さと一致するように各ＬＥＤ光源１１、１２、１３に対応する加重値を決定する（Ｓ５１）。補正制御部５０は、決定した加重値によって各ＬＥＤ光源１１、１２、１３の光出力を制御する。つまり、補正制御部５０は、決定した加重値によって各ＬＥＤ光源１１、１２、１３の駆動デューティ比を高めるかまたは低めるように調整する（Ｓ６１）。
【００５３】
そして、補正制御部５０は、前記Ｓ５０、Ｓ６０段階を遂行した後、所定の周期時間が経過したか否かを判断する（Ｓ７０）。所定の周期時間が経過した場合、補正制御部５０は前述したＳ５１とＳ６１段階を再び遂行する。ここで、Ｓ７０段階の判断結果、所定の周期時間が経過していない場合、補正制御部５０は光センサ４０から入力される感知結果を無視し、映像表示動作の遂行がオフされたか否かを判断する（Ｓ８０）。ここで、映像表示動作の遂行がオフされる場合とは、ディスプレイ部５に映像を表示するためのパネル駆動部３５の動作がオフされる場合を意味する。補正制御部５０は、映像表示動作の遂行がオフされたと判断される場合、本発明による制御動作（周期的に加重値決定／各光源１１、１２、１３の光出力制御）を終了する。
【００５４】
以上、前述の本発明の映像再生装置及びその制御方法は、オフ光を利用して各ＬＥＤ光源１１、１２、１３の光出力を補正することによって、映像をディスプレイ部５に正常に表示するために、ＬＥＤ光源１１、１２、１３各々が正常に出力しなければならない光出力の強さを維持できるようにする。これにより、本発明による映像再生装置は、各々の色光を出力する各光源の效率が一定でない場合にも加重値を与えて各光源の光出力を制御することによって、映像の歪曲を防止することができる。
【００５５】
たとえ本発明のいくつかの実施形態が図示されて説明されたが、本発明の属する技術分野の通常の知識を有する当業者であれば、本発明の原則や精神から逸脱せずに本実施形態を変形できることが分かる。発明の範囲は添付した請求項とその均等物によって決められなければならない。
【図面の簡単な説明】
【００５６】
【図１】本発明による映像再生装置の制御ブロック図である。
【図２】本発明の好ましい実施形態による映像再生装置の制御フローチャートである。
【図３】本発明の他の実施形態による映像再生装置のフローチャートである。
【符号の説明】
【００５７】
５    ディスプレイ部
１０  複数の光源
２０  照明系
２５  投射系
３０  ＤＭＤパネル
３１  ミラーエレメント
３５  パネル駆動部
４０  光センサ
５０  補正制御部
【図１】
2007193337.tif 000003
【図２】
2007193337.tif 000004
【図３】
2007193337.tif 000005